(57)【要約】【課題】入力信号が高いときでも低いときでも電界強度レベルに関係なくレベル表示値を変化させることができ、高感度のアンテナ設置の際に確実に最適な方向に調整することができることを目的とする。【解決手段】制御マイコン８によりノイズ発生混合部３を制御し、入力信号にノイズを強制的に混合して入力信号のＣ／Ｎ値を劣化させることにより強制的に復調ブロックでの復調品質を劣化させ、Ｃ／Ｎ検出部７で検出したＣ／Ｎ検出部出力のＣ／Ｎレベル値を、入力信号のＣ／Ｎ値が一定量変化した場合に、Ｃ／Ｎ検出部出力のＣ／Ｎレベル値の変化量が得られない領域から、比例した値を得られる領域の範囲に強制的に移動させて受信レベルを表示することにより、電界強度レベルに関係なく受信レベル表示値を変化させる  。【選択図】  図１
2004363673.tif 000002
【特許請求の範囲】
【請求項１】
放送電波を受信する受信機において、受信電波を入力する受信機入力部と、入力信号の利得を制御するＡＧＣと、ノイズを強制的に発生してかつ入力信号に混合するノイズ発生混合部と、受信信号を選局して復調器に入力するために検波する選局検波回路部と、受信電波のＣ／Ｎレベルを検出するＣ／Ｎレベル検出部を有し復調を行なう復調器と、前記復調器を制御しＣ／Ｎレベル検出部から出力されたＣ／Ｎレベル値を受信レベル表示値に変換して表示する制御マイコンとを備え、前記Ｃ／Ｎレベル値に応じて前記制御マイコンにより前記ノイズ発生混合部を制御することによりアンテナ設置時に表示させる受信レベル表示の表示動作点を切り替えることを特徴とする受信レベル表示装置。
【請求項２】
デジタル変調電波を受信するデジタル放送受信機において、受信電波を入力する受信機入力部と、入力信号の利得を制御するＡＧＣと、受信信号を選局して復調器に入力するために検波する選局検波回路部と、受信電波のＣ／Ｎレベルを検出するＣ／Ｎレベル検出部及びデジタル変調信号の検波信号の波形整形を行うロールオフフィルタを有するデジタル復調器と、前記デジタル復調器を制御しＣ／Ｎレベル検出部から出力されたＣ／Ｎレベル値を受信レベルとして表示する制御マイコンとを備え、前記Ｃ／Ｎレベル値に応じて前記制御マイコンにより前記デジタル復調器に搭載された前記ロールオフフィルタのロールオフ率設定値を制御することによりアンテナ設置時に表示させる受信レベル表示の表示動作点を切り替えることを特徴とする受信レベル表示装置。
【発明の詳細な説明】
【０００１】
【発明の属する技術分野】
本発明は、放送受信用セットトップボックスやテレビなどを代表とする放送受信機において、受信レベル表示機能を備えた機器に関するものである。
【０００２】
【従来の技術】
従来の放送受信機の受信レベル表示方法は、アンテナを設置する際に受信電波のＣ／Ｎや電界強度の情報をもとに受信レベルを表示し、その表示方法は受信機に入力される入力信号の受信レベルを検知して受信レベル表示データを作成するとともに、入力信号の電界強度レベルをＡＧＣ回路により検知してＡＧＣ回路の出力レベルをもとに表示データ作成し、受信レベル表示値に適用させる表示データをＡＧＣ回路の出力レベルをもとに判定し出力レベルに応じて表示データを選択し表示する受信レベル表示方法を行なっている（例えば特許文献１参照）。
【０００３】
【特許文献１】
特開平４−３２９０２８号公報
【０００４】
【発明が解決しようとする課題】
しかしながら、前記従来の受信レベル表示方法は、電界強度レベルを検知してＡＧＣ回路の出力レベルを判定することにより受信レベル表示として扱う表示データを選択して切り替える受信レベル表示方法であるため、電界強度が高い受信信号を受信した場合にはＡＧＣ回路により出力されるレベルの変化量が小さく、時には出力信号が変化しないこともあり、例えば高感度のアンテナを設置する際には高い電界強度レベルでＣ／Ｎレベルが非常に高い信号が受信機に入力されるため受信レベル表示値が変化しにくいため確実に最適な方向に調整することができないという課題を有していた。
【０００５】
本発明は、前記従来の課題を解決するもので、放送受信用セットトップボックスやテレビなどを代表とする放送受信機で受信レベル表示機能を備えた機器において入力信号が高いときでも低いときでも電界強度レベルに関係なく受信レベル表示値を変化させることができ、高い電界強度レベルの信号でかつＣ／Ｎレベルが非常に高い信号が入力されるような高感度のアンテナ設置の際に確実に最適な方向に調整することができるような受信レベル表示装置を提供することを目的とする。
【０００６】
【課題を解決するための手段】
前記課題を解決するために、本発明の第１の発明は、放送電波を受信する受信機において、受信電波を入力する受信機入力部と、入力信号の利得を制御するＡＧＣと、ノイズを強制的に発生してかつ入力信号に混合するノイズ発生混合部と、受信信号を選局して復調器に入力するために検波する選局検波回路部と、受信電波のＣ／Ｎレベルを検出するＣ／Ｎレベル検出部を有し復調を行なう復調器と、前記復調器を制御しＣ／Ｎレベル検出部から出力されたＣ／Ｎレベル値を受信レベル表示値に変換して表示する制御マイコンとを備え、Ｃ／Ｎレベル検出部で検出したＣ／Ｎレベル値に応じて制御マイコンによりノイズ発生混合部を制御することでアンテナ設置時に表示させる受信レベル表示の表示動作点を切り替える手段を有したものである。
【０００７】
また前記課題を解決するために、本発明の第２の発明は、デジタル変調電波を受信するデジタル放送受信機において、受信電波を入力する受信機入力部と、入力信号の利得を制御するＡＧＣと、受信信号を選局して復調器に入力するために検波する選局検波回路部と、受信電波のＣ／Ｎレベルを検出するＣ／Ｎレベル検出部及びデジタル変調信号の検波信号の波形整形を行うロールオフフィルタを有するデジタル復調器と、前記デジタル復調器を制御しＣ／Ｎレベル検出部から出力されたＣ／Ｎレベル値を受信レベルとして表示する制御マイコンとを備え、Ｃ／Ｎレベル検出部で検出したＣ／Ｎレベル値に応じて制御マイコンにより復調器に搭載されたロールオフフィルタのロールオフ率設定値を制御することによりアンテナ設置時に表示させる受信レベル表示の表示動作点を切り替える手段を有したものである。
【０００８】
上記構成を備えることで、高感度のアンテナで受信した場合など受信機に入力される受信信号のＣ／Ｎレベルが非常に高い場合にも受信レベル表示の表示動作点を切り替えて受信レベルの表示を行うことによって、入力信号が高いときでも低いときでも電界強度レベルに関係なく受信レベル表示値を変化させることができ、高い電界強度レベルの信号でかつＣ／Ｎレベルが非常に高い信号が入力されるような高感度のアンテナ設置の際においても確実に最適な方向に調整することができる。
【０００９】
【発明の実施の形態】
本発明の第１の発明は、放送電波を受信する受信機において、受信電波を入力する受信機入力部と、入力信号の利得を制御するＡＧＣと、ノイズを強制的に発生してかつ入力信号に混合するノイズ発生混合部と、受信信号を選局して復調器に入力するために検波する選局検波回路部と、受信電波のＣ／Ｎレベルを検出するＣ／Ｎレベル検出部を有し復調を行なう復調器と、前記復調器を制御しＣ／Ｎレベル検出部から出力されたＣ／Ｎレベル値を受信レベル表示値に変換して表示する制御マイコンとを備え、Ｃ／Ｎレベル検出部で検出したＣ／Ｎレベル値に応じて制御マイコンによりノイズ発生混合部を制御することでアンテナ設置時に表示させる受信レベル表示の表示動作点を切り替えることを特徴としたものであり、高感度のアンテナで受信した場合など受信機に入力される受信信号のＣ／Ｎレベルが非常に高い場合にノイズ発生混合部を制御して強制的にノイズを加えることで受信レベル表示の表示動作点を切り替えることにより、入力信号が高いときでも低いときでも電界強度レベルに関係なく受信レベル表示値を変化させることができ、高い電界強度レベルの信号でかつＣ／Ｎレベルが非常に高い信号が入力されるような高感度のアンテナ設置の際に確実に最適な方向に調整することができるという作用を有する。
【００１０】
本発明の第２の発明は、デジタル変調電波を受信するデジタル放送受信機において、受信電波を入力する受信機入力部と、入力信号の利得を制御するＡＧＣと、受信信号を選局して復調器に入力するために検波する選局検波回路部と、受信電波のＣ／Ｎレベルを検出するＣ／Ｎレベル検出部及びデジタル変調信号の検波信号の波形整形を行うロールオフフィルタを有するデジタル復調器と、前記デジタル復調器を制御しＣ／Ｎレベル検出部から出力されたＣ／Ｎレベル値を受信レベルとして表示する制御マイコンとを備え、Ｃ／Ｎレベル検出部で検出したＣ／Ｎレベル値に応じて制御マイコンにより復調器に搭載されたロールオフフィルタのロールオフ率設定値を制御し、アンテナ設置時に表示させる受信レベル表示の表示動作点を切り替えることを特徴としたものであり、高感度のアンテナで受信した場合など受信機に入力される受信信号のＣ／Ｎレベルが非常に高い場合にデジタル復調器のロールオフフィルタのロールオフ率設定値を強制的に受信信号のロールオフ率とは異なる不適切な設定値に制御し復調品質を劣化させることにより、入力信号が高いときでも低いときでも電界強度レベルに関係なく受信レベル表示値を変化させることができ、高い電界強度レベルの信号でかつＣ／Ｎレベルが非常に高い信号が入力されるような高感度のアンテナ設置の際に確実に最適な方向に調整することができるという作用を有する。
【００１１】
以下、本発明の実施の形態について、図１〜図３を用いて説明する。
【００１２】
（実施の形態１）
図１は本発明の実施の形態１における放送受信機内の受信レベル表示装置のブロック図である。
【００１３】
図１において、放送受信機に搭載した受信レベル表示装置は、受信機入力部１と、入力信号の電界強度に応じて入力ゲインを調整するＡＧＣ２と、ノイズを強制的に発生してかつ入力信号に混合するノイズ発生混合部３と、受信信号を選局して復調器に入力するために検波する選局検波回路部４と、検波された入力信号をＡＤ変換し復調ブロックに受け渡すＡＤ変換器５及びＡＤ変換された信号を復調し誤り訂正を行う復調ブロック及び入力信号のＣ／Ｎ値を検出するＣ／Ｎレベル検出部７から構成される復調器６と、希望の受信信号の選局を制御し復調器６を制御しＣ／Ｎレベル検出部からのＣ／Ｎレベル値を受信レベルとして表示する制御マイコン８により構成される。
【００１４】
以上のように構成された放送受信機に搭載した受信レベル表示装置について、図１を用いてその動作を説明する。受信アンテナで受信した信号は受信機入力部１より入力され、入力信号の電界強度に応じてＡＧＣ２により入力ゲインを調整する。適正なレベルに調整された入力信号は、ノイズを強制的に発生してかつ入力信号に混合するノイズ発生混合部３を経由し、受信信号を選局して復調器に入力するために検波する選局検波回路部４に入力される。選局検波回路部４は希望の受信チャンネルを選局、検波を行い検波出力信号を得る。その検波信号は復調器６に入力され、復調器６はＡＤ変換器５によりＡＤ変換し復調ブロックに受け渡し復調、誤り訂正を行い、復調データ出力を得る。
【００１５】
また、希望の受信チャンネルを選局するため選局検波回路部４の制御、復調器６の制御、入力信号のＣ／Ｎ値を検出するＣ／Ｎレベル検出部７からＣ／Ｎレベル値を読み出す制御は制御マイコン８により行う。
【００１６】
受信レベル表示はこの制御マイコン８により制御された結果を表示デバイスや受信機を視聴するために接続したテレビ等にオンスクリーン表示させる機能をも有する。また、受信レベル表示は数値による表示、棒グラフ等の視覚的に表示する方法があるが、その表示方法は本発明では問わないとする。
【００１７】
次に、図３に本発明の実施の形態１における受信レベル表示方法を示す。図１のＣ／Ｎレベル検出部７で検出したＣ／Ｎ検出部出力のＣ／Ｎレベル値を、制御マイコン８よって制御し、復調器６よりＣ／Ｎレベル値を得て、図３のように入力信号のＣ／Ｎ値に対する値として受信レベル表示値に変換する。
【００１８】
入力信号のＣ／Ｎ値に対してＣ／Ｎ検出部７によりＣ／Ｎ検出部出力のＣ／Ｎレベル値が比例した値として検出できる範囲を領域Ａとし、領域Ａの範囲内で入力信号のＣ／Ｎ値が変化量ΔＣＮ分変化した場合には、Ｃ／Ｎ検出部７で検出したＣ／Ｎ検出部出力のＣ／Ｎレベル値をもとに制御マイコン８にて換算した受信レベル表示は変化量Δａを得ることができる。
【００１９】
一方、図３に示すように入力信号のＣ／Ｎ値が、Ｃ／Ｎ検出部７で検出したＣ／Ｎ検出部出力のＣ／Ｎレベル値が比例した値として検出できる領域Ａよりも高いＣ／Ｎ値の範囲の領域Ｂでは、入力信号のＣ／Ｎ値に対してＣ／Ｎ検出部７で検出したＣ／Ｎ検出部出力のＣ／Ｎレベル値は、比例した値として検出できず、入力信号のＣ／Ｎ値が変化する変化量ΔＣＮに対して変化値が得られないため、Ｃ／Ｎ検出部７で検出したＣ／Ｎ検出部出力のＣ／Ｎレベル値をもとに制御マイコン８にて換算したとしても受信レベル表示は変化量Δｂしか得ることができない。
【００２０】
しかし、入力信号のＣ／Ｎ値を検出するＣ／Ｎ検出部出力のＣ／Ｎレベル値の値にて判定を行い、受信アンテナを経由して受信機に入力信号のＣ／Ｎ値が領域Ｂの範囲となる信号が入力された場合には、制御マイコン８によりノイズ発生混合部３を制御し、入力信号にノイズを強制的に混合して入力信号のＣ／Ｎ値を劣化させる。これにより、強制的に復調ブロックでの復調品質を劣化させ、Ｃ／Ｎ検出部７で検出したＣ／Ｎ検出部出力のＣ／Ｎレベル値を、入力信号のＣ／Ｎ値が変化量ΔＣＮで変化した場合に、Ｃ／Ｎ検出部出力のＣ／Ｎレベル値が変化量の得られない領域Ｂから比例した値を得られる領域Ａの範囲に強制的に移動させる。それにより、入力信号のＣ／Ｎ値が同じ変化量ΔＣＮで変化した場合でもＣ／Ｎ検出部７で検出した値が比例した値として得られることから制御マイコン８で変換した受信レベル表示の変化は変化量Δａを得ることができる。
【００２１】
なお、制御マイコン８によりノイズ発生混合部３を制御し入力信号にノイズを強制的に混合して入力信号のＣ／Ｎ値を劣化させる制御は、受信機で受信レベル表示を表示させる操作を行った時にのみに行うとし、受信レベル表示を表示させる必要がないような場合、すなわち、受信機にて通常の視聴を行う時には、制御マイコン８によりノイズ発生混合部３を制御し入力信号にノイズを強制的に混合すると、本来の入力信号のＣ／Ｎ値を得ることができずに受信品質が劣化させてしまうため、その強制的な制御は行わないとする。
【００２２】
（実施の形態２）
図２に本発明の実施の形態２における放送受信機内の受信レベル表示装置のブロック図を示す。
【００２３】
図２において、放送受信機に搭載した受信レベル表示装置は、受信機入力部１と、入力信号の電界強度に応じて入力ゲインを調整するＡＧＣ２と、受信信号を選局して復調器に入力するために検波する選局検波回路部４と、検波された入力信号をＡＤ変換し復調ブロックに受け渡すＡＤ変換器５及びＡＤ変換された信号を復調し誤り訂正を行う復調ブロック及びデジタル変調信号の検波信号の波形整形を行うロールオフフィルタ９及び入力信号のＣ／Ｎ値を検出するＣ／Ｎレベル検出部７から構成される復調器６と、希望の受信信号の選局を制御し復調器６を制御しＣ／Ｎレベル検出部からのＣ／Ｎレベル値を受信レベルとして表示する制御マイコン８により構成される。
【００２４】
以上のように構成された放送受信機について、図２を用いてその動作を説明する。受信アンテナで受信した信号は受信機入力部１より入力され、入力信号の電界強度に応じてＡＧＣ２により入力ゲインが調整される。適正なレベルに調整された入力信号は、受信信号を選局して復調器に入力するために検波する選局検波回路部４に入力され、選局検波回路部４は希望の受信チャンネルを選局、検波を行い、検波出力信号を得る。その検波信号は復調器６に入力されＡＤ変換器５によりＡＤ変換され復調ブロックに受け渡される。復調ブロック内のロールオフフィルタ９はデジタル変調信号の検波信号を波形整形し、復調、誤り訂正を行い復調データ出力を得る。また、希望の受信チャンネルを選局するため選局検波回路部４の制御、復調器６の制御、入力信号のＣ／Ｎ値を検出するＣ／Ｎレベル検出部７からＣ／Ｎレベル値を読み出す制御は制御マイコン８により行う。
【００２５】
受信レベル表示はこの制御マイコン８により制御された結果を表示デバイスや受信機を視聴するために接続したテレビ等にオンスクリーン表示させる機能をも有する。また、受信レベル表示は数値による表示、棒グラフ等の視覚的に表示する方法があるが、その表示方法は本発明では問わないとする。
【００２６】
次に、図３に本発明の実施の形態２における受信レベル表示方法を示す。図２のＣ／Ｎレベル検出部７で検出したＣ／Ｎ検出部出力のＣ／Ｎレベル値を、制御マイコン８よって制御し復調器６よりＣ／Ｎレベル値を得て、図３のように入力信号のＣ／Ｎ値に対する値として受信レベル表示値に変換する。
【００２７】
入力信号のＣ／Ｎ値に対してＣ／Ｎ検出部７によりＣ／Ｎ検出部出力のＣ／Ｎレベル値が比例した値として検出できる範囲を領域Ａとし、領域Ａの範囲内で入力信号のＣ／Ｎ値が変化量ΔＣＮ分変化した場合には、Ｃ／Ｎ検出部７で検出したＣ／Ｎ検出部出力のＣ／Ｎレベル値をもとに制御マイコン８にて換算した受信レベル表示は変化量Δａを得ることができる。
【００２８】
一方、図３に示すように入力信号のＣ／Ｎ値が、Ｃ／Ｎ検出部７で検出したＣ／Ｎ検出部出力のＣ／Ｎレベル値が比例した値として検出できる領域Ａよりも高いＣ／Ｎ値の範囲の領域Ｂでは、入力信号のＣ／Ｎ値に対してＣ／Ｎ検出部７で検出したＣ／Ｎ検出部出力のＣ／Ｎレベル値は、比例した値として検出できず、入力信号のＣ／Ｎ値が変化する変化量ΔＣＮに対して変化値が得られないため、Ｃ／Ｎ検出部７で検出したＣ／Ｎ検出部出力のＣ／Ｎレベル値をもとに制御マイコン８にて換算したとしても受信レベル表示は変化量Δｂしか得ることができない。
【００２９】
しかし、入力信号のＣ／Ｎ値を検出するＣ／Ｎ検出部出力のＣ／Ｎレベル値の値にて判定を行い、受信アンテナを経由して受信機に入力信号のＣ／Ｎ値が領域Ｂの範囲となる信号が入力された場合に、制御マイコン８により復調ブロック内のロールオフフィルタ９を制御し、入力されたデジタル変調信号の検波信号を波形整形する際に、本来の制御では入力信号のロールオフ率、すなわち放送局側で規定されたロールオフ率で波形整形を行うように制御するところを、強制的に放送局で規定されたロールオフ率とは異なる不適切なロールオフ率設定を行う。
【００３０】
これにより、強制的に復調ブロックでの復調品質を劣化させ、Ｃ／Ｎ検出部７で検出したＣ／Ｎ検出部出力のＣ／Ｎレベル値を、入力信号のＣ／Ｎ値が変化量ΔＣＮで変化した場合に、Ｃ／Ｎ検出部出力のＣ／Ｎレベル値が変化量を得られない領域Ｂから比例した値を得られる領域Ａの範囲に強制的に移動させる。よって、入力信号のＣ／Ｎ値が同じ変化量ΔＣＮで変化した場合でもＣ／Ｎ検出部７で検出した値が比例した値として得られることから制御マイコン８で変換した受信レベル表示の変化は変化量Δａを得ることができる。
【００３１】
なお、制御マイコン８により復調ブロック内のロールオフフィルタ９を制御し、入力されたデジタル変調信号の検波信号を波形整形する際に、本来の制御では入力信号のロールオフ率、すなわち放送局側で規定されたロールオフ率で波形整形を行うように制御するが、強制的に放送局で規定されたロールオフ率とは異なる不適切なロールオフ率設定を行う制御は、受信機で受信レベル表示を表示させる操作を行った時にのみに行うとし、受信レベル表示を表示させる必要がないような場合、すなわち、受信機にて通常の視聴を行う時には、制御マイコン８により放送局で規定されたロールオフ率とは異なる不適切なロールオフ率設定を強制的に行うと、本来の入力信号のＣ／Ｎ値を得ることができずに受信品質が劣化させてしまうため、その強制的な制御は行わないとする。
【００３２】
【発明の効果】
以上のように本発明の受信レベル表示装置によれば、放送受信用セットトップボックスやテレビなどを代表とする放送受信機で受信レベル表示機能を備えた機器において、入力信号が高いときでも低いときでも電界強度レベルに関係なく受信レベル表示値を変化させることができ、高い電界強度レベルの信号でかつＣ／Ｎレベルが非常に高い信号が入力されるような高感度のアンテナ設置の際に確実に最適な方向に調整することができる。
【図面の簡単な説明】
【図１】本発明の実施の形態１における放送受信機内の受信レベル表示装置のブロック図
【図２】本発明の実施の形態２における放送受信機内の受信レベル表示装置のブロック図
【図３】本発明の実施の形態１および実施の形態２における受信レベル表示の作用を示す図
【符号の説明】
１  受信機入力部
２  ＡＧＣ
３  ノイズ発生混合部
４  選局検波回路部
５  ＡＤ変換器
６  復調器
７  Ｃ／Ｎレベル検出部
８  制御マイコン
９  ロールオフフィルタ
【図１】
2004363673.tif 000003
【図２】
2004363673.tif 000004
【図３】
2004363673.tif 000005